(57)【要約】  マークアップ言語の命令セットの形式でコンテンツを受信するステップと、前記コンテンツを所定のパラメータに従い変形するステップと、前記コンテンツをレンダリングするステップとを有することを特徴とするコンテンツ配信方法。コンテンツ配信装置がまた開示される。
2005513624.tif 000002
【特許請求の範囲】
【請求項１】
マークアップ言語の命令セットの形式でコンテンツを受信するステップと、
前記コンテンツを所定のパラメータに従い変形するステップと、
前記コンテンツをレンダリングするステップとを有することを特徴とするコンテンツ配信方法。
【請求項２】
請求項１記載のコンテンツ配信方法であって、前記レンダリングは装置群に分散されるブラウザにより行われることを特徴とする方法。
【請求項３】
請求項１記載のコンテンツ配信方法であって、前記レンダリングは１つの装置に格納されたブラウザにより行われることを特徴とする方法。
【請求項４】
請求項１乃至３何れか一項記載のコンテンツ配信方法であって、前記コンテンツは物理的にレンダリングされるデータを有することを特徴とする方法。
【請求項５】
請求項１乃至４何れか一項記載のコンテンツ配信方法であって、前記所定のパラメータはユーザにより選択されることを特徴とする方法。
【請求項６】
請求項５記載のコンテンツ配信方法であって、前記所定のパラメータはユーザにより所定の汎用表現リストから選択されることを特徴とする方法。
【請求項７】
請求項１乃至６何れか一項記載のコンテンツ配信方法であって、前記変形はある形式に基づくことを特徴とする方法。
【請求項８】
請求項１乃至６何れか一項記載のコンテンツ配信方法であって、前記変形は個人の選好群に基づくことを特徴とする方法。
【請求項９】
マークアップ言語の命令セットの形式でコンテンツを受信する受信手段と、
前記コンテンツを所定のパラメータに従い変形する変形手段と、
前記コンテンツをレンダリングするレンダリング手段とを有することを特徴とするコンテンツ配信装置。
【請求項１０】
請求項９記載のコンテンツ配信装置であって、前記レンダリング手段は装置群に分散されることを特徴とする装置。
【請求項１１】
請求項９記載のコンテンツ配信装置であって、前記レンダリング手段は１つの装置の一部であることを特徴とする装置。
【発明の詳細な説明】
【発明の詳細な説明】
【０００１】
本発明は、コンテンツ配信方法及び装置に関する。特に、本発明は、マークアップ言語の命令セットの形式でのコンテンツの受信及び当該コンテンツの変形に関する。
【０００２】
ＵＳ−Ｂ１−６１８５６２５は、通信リンクを介したデータアクセスを向上させるシステムを開示する。コンピュータネットワークを介しオブジェクトを抽出するシステムは、ユーザにオブジェクトをレンダリングするブラウザと、ユーザによる符号化選好の確立を可能にするユーザインタフェースとを有するネットワーククライアントを有する。遠隔スケーリングサーバは、オブジェクトを抽出し、ユーザに特有の符号化選好に従って当該オブジェクトを符号化する。開示されたシステムは、ユーザがコンテンツのクオリティとダウンロードスピードとの間のトレードオフに動的に影響を与えることを可能にする。しかしながら、このシステムはコンテンツの変形は行わず、単にユーザがデータの選択的なスケーリングで既知の圧縮原理によりデータのダウンロードスピードをより高速にすることを可能にするだけである。
【０００３】
ＵＳ−Ａ−６１２２６５７は、ハイパーテキストタグとコンテンツの動的フィルタリング方法によるインターネットコンピュータシステムを開示する。このシステムは、各自が１以上のウェブサーバとのインターネット接続によるウェブブラウザを実行する１以上のウェブクライアントを有する。各クライアントは、各自のブラウザと通信レイヤとの間に配置され、ブラウザと通信リンクとの間のすべての通信を捕捉かつ処理するフィルタモジュールを有する。再び、この出願もまた、インターネットあるいは他のオンラインブラウザを有するコンピュータシステムにおけるウェブコンテンツのブラウジング処理の高速化方法に関する。しかしながら、このシステムもまたコンテンツの変形は行わない。
【０００４】
通常、ブラウザは著者の意図を反映させるようコンテンツのレンダリングを実行するためのものである。これは、エンドユーザの要求や興味と適合しないかもしれない。
【０００５】
本発明の課題は、より向上したコンテンツ配信方法及び装置を提供することにある。
【０００６】
本発明の第１の特徴によると、マークアップ言語の命令セットの形式でコンテンツを受信するステップと、所定のパラメータに従い前記コンテンツを変形するステップと、前記コンテンツをレンダリングするステップとを有するコンテンツ配信方法が提供される。
【０００７】
本発明の第２の特徴によると、マークアップ言語の命令セットの形式でコンテンツを受信する受信手段と、所定のパラメータに従い前記コンテンツを変形する変形手段と、前記コンテンツをレンダリングするレンダリング手段とを有するコンテンツ配信装置が提供される。
【０００８】
本発明によると、所定のパラメータに従い変形されたコンテンツを配信することができる。このようにしてユーザは、自らの気分や形式の好みに合うように受信したコンテンツの変形を行うことができる。
【０００９】
好ましくは、このレンダリング処理は装置群に分散されているブラウザにより行われ、コンテンツは物理的にレンダリングされるデータを有する。所定のパラメータはユーザにより、効果的には所定の汎用表現のリストから選択される。好ましくは、変形処理は特定の形式または個人の選考に基づき行われる。
【００１０】
本発明の実施例が、添付された図面を参照して例示により説明される。
【００１１】
図では、本装置は、マークアップ言語の命令セット１２の形式でコンテンツを受信する受信手段１０を有する。本装置はまた、所定のパラメータ２２に従いコンテンツを変形する変形手段１４と、当該コンテンツをレンダリングするレンダリング手段１６とを有する。
【００１２】
本実施例では、使用される言語は、物理的なレンダリングのため、高レベルのデータの記述を与える言語である。例えば、命令セット１２は、＜ＦＯＲＥＳＴ＞、＜ＡＵＴＵＭＮ＞及び＜ＷＡＲＭＷＥＡＴＨＥＲ＞を有するようにしてもよい。この情報は、装置群に分散されているブラウザの一部であるレンダリング手段１６によりレンダリングされる。このネットワーク化された装置群には、例えば、テレビ、オーディオ機器、パーソナルコンピュータなどが含まれ、これら装置群はコンテンツ１２に記述された効果を生成するよう組み合わされる。各装置は各自の機能に従い環境全体に要素を提供する。
【００１３】
他の実施例では、レンダリング手段は、ある１つの装置の一部であり、命令セット１２を複数の特定装置向けコマンドに変換し、その後、コンテンツ１２に記述されるような外部環境を生成するため、これらのコマンドは装置に通信される。
【００１４】
ブラウザは、変形された形式でコンテンツ１２を配信するよう設計されている。例えば、変形手段１４は、マンガ的に誇張された形式やフィルムノワール（ｆｉｌｍ  ｎｏｉｒ）などの形式に基づきコンテンツの変形を行ってもよい。あるいは、この変形処理は、ノイズの抑制、特殊効果、落ち込んでいるときに愉快にさせるなどのユーザ選好に基づくものであってもよい。
【００１５】
単なる画面上だけでなく、ユーザ１８の周囲の環境に影響を与えるコンテンツ１２を処理するとき、すべてのコンテンツ１２がユーザ１８の感性に適合及び一致するようにレンダリングされることがより重要である。コンテンツ１２を変形するための所定のパラメータ２２はユーザにより選ばれる。ユーザ１８からのこの入力は、図の２０に図解的に示される。ユーザは、穏やか、憂鬱ななどの汎用表現のリストから所定のパラメータ２２を選択することができる。
【００１６】
従って、ユーザ１８は配信されるコンテンツ１２のある側面を制御することができる。このようにして、例えば、ユーザ１８が映画を観ているとき、マークアップ言語の命令セットの形式で拡張されたデータがユーザに与えられるかもしれない。ユーザ１８は、気分を反映させ、映画を称賛したり、映画と明暗を有する形式を選ぶように、拡張された効果の変形を選択することができる。
【００１７】
ブラウザは、変形パラメータ２２に従ってマッピングを変更する。もとの命令セット１２が条件＜ＬＯＵＤ＞を含み、ユーザ１８が「ノイズの抑制」の選好を選んだとすると、もとのボリュームレベル８が４に低下するよう＜ＬＯＵＤ＞のマッピングが変更される。実質的には、同一のコンテンツが、マッピングの変更に応じ異なって実現される。
【００１８】
他の言語及び周知の言語を使用することが可能である。例えば、マークアップ言語は、ＨＴＭＬ（Ｈｙｐｅｒ  Ｔｅｘｔ  Ｍａｒｋｕｐ  Ｌａｎｇｕａｇｅ）やＶＲＭＬ（Ｖｉｒｔｕａｌ  Ｒｅａｌｉｔｙ  Ｍｏｄｅｌｌｉｎｇ  Ｌａｎｇｕａｇｅ）であってもよい。
【図面の簡単な説明】
【００１９】
【図１】図１は、コンテンツ配信装置の概略的表現である。
【図１】
2005513624.tif 000003
【国際調査報告】
2005513624.tif 000004
2005513624.tif 000005
2005513624.tif 000006